(57)【要約】【課題】  特に取付基部の形状を大きくすることなく、フランジの側面に両面テープを介して容易に取付けることのできるウェザーストリップ及びその取付方法を提供する。【解決手段】  自動車の開口周縁に設けられたフランジ１に取付けられる断面略Ｕ字状の取付基部１１を有するウェザーストリップ１０であって、フランジ１の一方の側面に相対向する取付基部１１の側壁部１１ａの内側面に、フランジ１に接着される両面テープ１５がその表面に離型紙１６が付着された状態で貼着されるともに、両面テープ１５が貼着された側の取付基部１１の側壁部１１ａの端部内側面には、両面テープ１５の突出よりも内側に大きく突出したビード２０が形成されてなる。【選択図】        図１
2006321385.tif 000002
【特許請求の範囲】
【請求項１】
自動車の開口周縁に設けられたフランジに取付けられる断面略Ｕ字状の取付基部を有するウェザーストリップであって、
前記フランジの一方の側面に相対向する前記取付基部の側壁部の内側面に、前記フランジに接着される両面テープがその表面に離型紙が付着された状態で貼着されるともに、
前記両面テープが貼着された側の前記取付基部の側壁部の端部内側面には、前記両面テープの突出よりも内側に大きく突出したビードが形成されてなることを特徴とするウェザーストリップ。
【請求項２】
前記ビードを前記取付基部の側壁部から剥離可能にしたことを特徴とする請求項１に記載のウェザーストリップ。
【請求項３】
断面略Ｕ字状の取付基部を有し、自動車の開口周縁に設けられたフランジの一方の側面に相対向する前記取付基部の側壁部の内側面に、両面テープがその表面に離型紙が付着された状態で貼着されるともに、前記両面テープが貼着された側の前記取付基部の側壁部の端部内側面には、前記両面テープの突出よりも内側に大きく突出したビードが形成されてなるウェザーストリップを、前記フランジに取付ける方法であって、
前記フランジの突出方向に対して、前記両面テープが貼着された側の前記取付基部の側壁部を、その側壁部の端部が前記フランジから大きく離間するように斜めにして、前記フランジに前記ウェザーストリップを、前記フランジの先端が前記取付基部の奥壁部に直接当接するまで挿入し、
次に、前記離型紙と前記ビードを同時に剥がしながら、前記取付基部の側壁部の端部を前記フランジに近接して、前記取付基部の側壁部を、前記フランジの一方の側面に圧着し、前記ウェザーストリップを前記フランジに取付けることを特徴とするウェザーストリップの取付方法。
【請求項４】
断面略Ｕ字状の取付基部を有し、自動車の開口周縁に設けられたフランジの一方の側面に相対向する前記取付基部の側壁部の内側面に、両面テープがその表面に離型紙が付着された状態で貼着されるともに、前記両面テープが貼着された側の前記取付基部の側壁部の端部内側面には、前記両面テープの突出よりも内側に大きく突出したビードが形成されてなるウェザーストリップを、前記フランジに取付ける方法であって、
前記フランジの突出方向に対して、前記両面テープが貼着された側の前記取付基部の側壁部を、その側壁部の端部が前記フランジから大きく離間するように斜めにして、前記フランジに前記ウェザーストリップを、前記フランジの先端が前記取付基部の奥壁部に直接当接するまで挿入し、
次に、前記離型紙と前記ビードを順番に剥がしながら、前記取付基部の側壁部の端部を前記フランジに近接して、前記取付基部の側壁部を、前記フランジの一方の側面に圧着し、前記ウェザーストリップを前記フランジに取付けることを特徴とするウェザーストリップの取付方法。
【発明の詳細な説明】
【技術分野】
【０００１】
本発明は、自動車のトランク等の開口周縁に設けられたフランジに取付けられるウェザーストリップ及び、そのウェザーストリップの取付方法に関するものである。
【背景技術】
【０００２】
従来、自動車のトランク等の開口周縁に設けられたフランジ１に、取付基部１１と中空シール部１２が一体成形されたウェザーストリップ１０を取付ける場合、図４に示すように、両側壁部１１ａ，１１ｂと奥壁部１１ｃからなる断面略Ｕ字状の取付基部１１の一方の側壁部１１ａの内側面に両面テープ１５を貼着し、その両面テープ１５をフランジ１の一方の側面に押し当ててウェザーストリップ１０を取付ける方法が知られている（例えば、特許文献１）。
これによれば、取付基部１１に芯金を埋設して保持力を特に、向上させる必要がなくなる。
なお、このとき取付基部１１の他方の側壁部１１ｂの端部内側面に設けた内方に突出する爪部１３をフランジ１の他方の側面（前記一方の側面とは逆の側面）に弾接させてもよい。また、取付基部１１の他方の側壁部１１ｂの外側面には、内装材２に弾接するリップ部１４が設けられている。
【特許文献１】特開２００１−３５４０８１号公報（図３）
【発明の開示】
【発明が解決しようとする課題】
【０００３】
しかし、図４に示すウェザーストリップ１０をフランジ１に取付ける場合、図５に示すように、フランジ１の先端１ａが、ウェザーストリップ１０の取付基部１１に設けられた両面テープ１５に当接し、その両面テープ１５の表面に設けられた離型紙１６を傷つけたり、破ったりするといった問題が生じていた。また、離型紙１６が剥がされた後には、直接、両面テープ１５を傷つけたりするおそれがあった。
【０００４】
この対策として、両面テープ１５を設ける位置を、フランジ１の先端１ａが当接しやすい、取付基部１１の側壁部１１ａの内側面から、図６に示すように、フランジ１の折り返し部に相対向する面に設けることが考えられる。
しかしながら、この場合は、両面テープ１５を配置するために、取付基部１１の形状を大きくする必要がある（図６の場合では、断面略Ｖ字状部分１１ｄの追加）ので、特にコーナー部での追従性が悪く、シワ，歪み等の発生によりシール性能が劣化するという問題がある。
【０００５】
そこで、本発明の目的とするところは、特に取付基部の形状を大きくすることなく、フランジの側面に両面テープを介して容易に取付けることのできるウェザーストリップ及びその取付方法を提供することにある。
【課題を解決するための手段】
【０００６】
上記の目的を達成するために、本発明のウェザーストリップは、自動車の開口周縁に設けられたフランジ（１）に取付けられる断面略Ｕ字状の取付基部（１１）を有するウェザーストリップ（１０）であって、
前記フランジ（１）の一方の側面に相対向する前記取付基部（１１）の側壁部（１１ａ）の内側面に、前記フランジ（１）に接着される両面テープ（１５）がその表面に離型紙（１６）が付着された状態で貼着されるともに、
前記両面テープ（１５）が貼着された側の前記取付基部（１１）の側壁部（１１ａ）の端部内側面には、前記両面テープ（１５）の突出よりも内側に大きく突出したビード（２０）が形成されてなることを特徴とする。
【０００７】
また、前記ビード（２０）を前記取付基部（１１）の側壁部（１１ａ）から剥離可能にしたことが好ましい。
【０００８】
また、本発明のウェザーストリップの取付方法は、断面略Ｕ字状の取付基部（１１）を有し、自動車の開口周縁に設けられたフランジ（１）の一方の側面に相対向する前記取付基部（１１）の側壁部（１１ａ）の内側面に、両面テープ（１５）がその表面に離型紙（１６）が付着された状態で貼着されるともに、前記両面テープ（１５）が貼着された側の前記取付基部（１１）の側壁部（１１ａ）の端部内側面には、前記両面テープ（１５）の突出よりも内側に大きく突出したビード（２０）が形成されてなるウェザーストリップ（１０）を、前記フランジ（１）に取付ける方法であって、
前記フランジ（１）の突出方向に対して、前記両面テープ（１５）が貼着された側の前記取付基部（１１）の側壁部（１１ａ）を、その側壁部（１１ａ）の端部が前記フランジ（１）から大きく離間するように斜めにして、前記フランジ（１）に前記ウェザーストリップ（１０）を、前記フランジ（１）の先端（１ａ）が前記取付基部（１１）の奥壁部（１１ｃ）に直接当接するまで挿入し、次に、前記離型紙（１６）と前記ビード（２０）を同時に、あるいは離型紙（１６）の後にビード（２０）といったように順番に、剥がしながら、前記取付基部（１１）の側壁部（１１ａ）の端部を前記フランジ（１）に近接して、前記取付基部（１１）の側壁部（１１ａ）を、前記フランジ（１）の一方の側面に圧着し、前記ウェザーストリップ（１０）を前記フランジ（１）に取付けることを特徴とする。
【０００９】
なお、括弧内の記号は、図面および後述する発明を実施するための最良の形態に記載された対応要素または対応事項を示す。
【発明の効果】
【００１０】
以上のとおり、本発明に記載のウェザーストリップによれば、フランジ接着用の両面テープが貼着された側の取付基部の側壁部の端部内側面には、その両面テープの突出よりも内側に大きく突出したビードが形成されているので、フランジにウェザーストリップを差し込む場合、ビードの突出分、フランジの先端が、両面テープが貼着された側の取付基部の側壁部の内側面に当接することが防止される。
つまり、ビードの突出によって、フランジの先端が、表面に離型紙が付着された両面テープに当接することが防止されるので、離型紙を傷つけたり、破ったりすることはなく、作業性よくウェザーストリップをフランジに容易に取付けることができる。
これによれば、両面テープを取付基部の側壁部内側面に取付けることができるので、取付基部の形状を断面略Ｕ字状といった断面の小さいものにしても支障はない。したがって、コーナー部でも追従性のよいウェザーストリップを提供することができる。
【００１１】
また本発明によれば、ビードを取付基部の側壁部から剥離可能にしたので、取付基部の側壁部を、容易にフランジの一方の側面に圧着することができる。
【００１２】
また本発明に記載のウェザーストリップの取付方法によれば、ウェザーストリップの、フランジ接着用の両面テープが貼着された側の取付基部の側壁部の端部内側面には、その両面テープの突出よりも内側に大きく突出したビードが形成されているので、フランジにウェザーストリップを斜めにして、フランジの先端が取付基部の奥壁部に直接当接するまで挿入しても、フランジの先端は、両面テープが貼着された側の取付基部の側壁部の内側面に当接しない。
そして、離型紙とビードを同時にあるいは順番に剥がしながら、取付基部の側壁部の端部をフランジに近接して、取付基部の側壁部を、フランジの一方の側面に圧着するので、断面略Ｕ字状の取付基部を有するウェザーストリップをフランジに容易に取付けることができる。
【発明を実施するための最良の形態】
【００１３】
図１及び図２を参照して、本発明の実施形態に係るウェザーストリップ及びそのウェザーストリップの取付方法について説明する。
【００１４】
本発明の実施形態に係るウェザーストリップ１０は、図１に示すように、取付基部１１と中空シール部１２が一体成形されている。
取付基部１１は、両側壁部１１ａ，１１ｂと奥壁部１１ｃからなる断面略Ｕ字状であり、その開口部に、自動車のトランクの開口周縁に設けられたフランジ１が案内されるように、ウェザーストリップ１０はフランジ１に差し込まれるようになっている。
また、中空シール部１２は、取付基部１１の奥壁部１１ｃの外側面に設けられ、開閉するリヤドア（図示しない）に弾接して車内外をシールするようになっている。
【００１５】
また、取付基部１１の一方の側壁部１１ａの内側面には、相対向するフランジ１の一方の側面に接着される両面テープ１５が貼着されている。その両面テープ１５の表面、すなわち、フランジ１側には離型紙１６が付着されている。
そして、両面テープ１５が貼着された側となる、取付基部１１の側壁部１１ａの端部内側面には、ビード２０が形成されている。ビード２０は、両面テープ１５の突出量（厚さ）ｔよりも内側に大きくｓ程突出していて（ｓ＞ｔ）、ウェザーストリップ１０をフランジ１に差し込む際に、フランジ１の先端１ａが両面テープ１５の表面に付着された離型紙１６に当接することを防止している。また、ビード２０は断面円形であり、フランジ１の先端１ａがビード２０に引っかかることを防止している。
また、ビード２０の付け根部２１は、ビード２０の他部分と比較して薄肉にしてあり、その付け根部２１に沿ってビード２０を取付基部１１の側壁部１１ａから容易に剥離することができるようにしている。
【００１６】
なお、取付基部１１の他方の側壁部１１ｂの端部内面には、内方に突出する爪部１３が設けられるとともに、取付基部１１の他方の側壁部１１ｂの外側面には、内装材２に弾接するリップ部１４が設けられている。
【００１７】
次に、図１に示したウェザーストリップ１０をフランジ１に取付ける方法について、図２を参照して説明する。
（１）まず、図２（ａ）に示すように、図１に示した、取付基部１１の一方の側壁部１１ａの内側面に離型紙１６付きの両面テープ１５が設けられるとともに、側壁部１１ａの端部にビード２０が設けられたウェザーストリップ１０を、フランジ１の突出方向に対して斜めにしてフランジ１に差し込んでいく。
このとき、両面テープ１５が貼着された側の取付基部１１の側壁部１１ａを、その側壁部１１ａの端部がフランジ１から大きく離間するように、すなわち、図２では右側に傾けるように斜めにする。また、両側壁部１１ａ，１１ｂの端部同士が互いに離れるように両側壁部１１ａ，１１ｂを開かせる。
【００１８】
（２）次に、図２（ｂ）に示すように、フランジ１の先端１ａが取付基部１１の奥壁部１１ｃに直接当接するまで挿入する。
このとき、フランジ１の一方の側面をビード２０の表面に沿わせながら、ウェザーストリップ１０をフランジ１に差し込むようにすることもできる。これによれば、ビード２０がガイドになるので、位置決めにも利用でき、ウェザーストリップ１０を安定してしかも容易にフランジ１に差し込むことができる。
【００１９】
（３）そして、図２（ｃ）に示すように、離型紙１６を両面テープ１５から剥がすとともに、取付基部１１の側壁部１１ａに対して、ビード２０をその付け根部２１から剥がしながら、取付基部１１の側壁部１１ａの端部をフランジ１に近接して、取付基部１１の側壁部１１ａを、フランジ１の一方の側面に、ローラー等を利用して圧着する。なお、離型紙１６とビード２０は同時に剥がしてもよいし、離型紙１６を剥がした後にビード２０を剥がすようにしてもよい。
【００２０】
これによれば、断面略Ｕ字状の取付基部１１を有するウェザーストリップ１０をフランジ１に、両面テープ１５や離型紙１６をフランジ１の先端１ａで傷つけることなく、容易に取付けることができる。
【００２１】
なお、本実施形態では、取付基部１１の側壁部１１ａの端部内側面に、ビード２０を薄肉の付け根部２１を介して形成したが、ビード２０の形成は種々考えられるので特に限定されるものではない。例えば、図３（ａ）に示すように、取付基部１１の側壁部１１ａの端部内側面に突部２２を設け、その突部２２の先端に薄肉の付け根部２１を介してビード２０を形成したり、あるいは、図３（ｂ）に示すように、取付基部１１の側壁部１１ａの端部内側面に突部２３を設けるとともに、その突部２３の先端の上部及び下部に薄肉の付け根部２１を設け、その２つの付け根部２１を介してビード２０を形成するようにしてもよい。
【００２２】
また、本実施形態では、ウェザーストリップ１０を自動車のトランクの開口周縁に設けられたフランジ１に取付ける場合について説明したが、トランク周りのフランジ１にかかわらず、自動車の開口周縁に設けられたフランジに、断面略Ｕ字状の取付基部１１を有するウェザーストリップ１０を取付けるものに適用しうる。
【図面の簡単な説明】
【００２３】
【図１】本発明の実施形態に係るウェザーストリップを示す斜視図である。
【図２】図１に示すウェザーストリップの取付方法を示す断面図である。
【図３】図１に示すビードの別の形態を示す断面図である。
【図４】従来例に係るウェザーストリップを示す断面図である。
【図５】図４に示すウェザーストリップの取付方法を示す断面図である。
【図６】従来例に係る別のウェザーストリップを示す断面図である。
【符号の説明】
【００２４】
１      フランジ
１ａ    先端
２      内装材
１０      ウェザーストリップ
１１      取付基部
１１ａ    側壁部（一方の側壁部）
１１ｂ    側壁部（他方の側壁部）
１１ｃ    奥壁部
１１ｄ    断面略Ｖ字状部分
１２      中空シール部
１３      爪部
１４      リップ部
１５      両面テープ
１６      離型紙
２０      ビード
２１      付け根部
２２      突部
２３      突部
【図１】
2006321385.tif 000003
【図２】
2006321385.tif 000004
【図３】
2006321385.tif 000005
【図４】
2006321385.tif 000006
【図５】
2006321385.tif 000007
【図６】
2006321385.tif 000008